(57)【特許請求の範囲】
【請求項１】
各々に無線通信素子を内蔵する複数のラベルが仮付けされた長尺状の記録媒体を搬送する搬送手段と、
前記ラベルに画像を記録する記録手段と、
前記無線通信素子と通信する無線通信手段と、
前記無線通信手段と前記無線通信素子との通信可能範囲より搬送方向上流側に配置され、前記ラベルの先端又は後端を検知する検知手段と、
搬送されるラベル内の第１の無線通信素子と通信してから、第２の無線通信素子との通信可能範囲に達したと推定される所定時間経過後、
前記第１の無線通信素子との通信が継続されているか、又は前記第２の無線通信素子との通信に移行したか、それとも前記第２の無線通信素子との通信が不能であるかを判別する判別手段と、を有する記録装置であって、
前記検知手段でラベルを検知せず、
且つ前記判別手段による判別の結果、前記第２の無線通信素子との通信が不能であった場合、
前記記録媒体が終了である旨報知する報知手段を更に有することを特徴とする記録装置。
【請求項２】
前記検知手段でラベルを検知し、
且つ前記判別手段による判別の結果、
前記第２の無線通信素子との通信が不能であった場合、
前記報知手段は前記第２の無線通信素子が異常である旨、報知することを特徴とする請求項１に記載の記録装置。
【請求項３】
前記判別手段による判別の結果、
前記第１の無線通信素子との通信が継続されている場合、
前記報知手段は搬送動作異常を報知することを特徴とする請求項１に記載の記録装置。
【請求項４】
前記判別手段による判別の結果、
前記第２の無線通信素子との通信に移行したと判別された場合、
動作を継続する動作継続手段を更に有することを特徴とする請求項１に記載の記録装置。
【発明の詳細な説明】
【０００１】
【発明の属する技術分野】
本発明は素子を有する記録媒体に対し、素子への情報の読み書き、記録媒体への記録を行なう記録装置に関するものである。
【０００２】
【背景の技術】
例えば非接触で情報を書き込み／読み出し可能である集積回路チップとアンテナを備えたRF-ID素子が開発されているが、通常このRF-ID素子は、カット紙、ラベル、タグ紙や、ICカード等の記録媒体に内蔵されている。
【０００３】
RF-IDライタ内蔵の記録装置として、これまでは熱転写方式や感熱方式の記録装置が使用されてきたが、記録ヘッドを記録媒体に押し付けて記録を行う方式である為に、記録媒体に内蔵しているRF-ID素子が記録時に壊れてしまうと言う問題が有り、記録媒体と非接触で記録が出来るインクジェット記録装置が注目されている。
【０００４】
インクジェット記録装置は種々の方法により、インクの吐出液滴を形成し、これを用紙等の被記録媒体に付着させて、記録媒体とは非接触で印刷を行う。特に吐出液滴形成のためのエネルギーとして熱を利用するインクジェット記録装置は、複数の吐出口を高密度に配置することが容易であり、また、この高密度化により高解像度、高画質の画像が高速度に得られ、しかもカラー化も容易であるという優れた特徴を有している。
【０００５】
この種のインクジェット記録装置において、ラインヘッドを搭載したものは、固定されたヘッドの下部を記録媒体が搬送することにより記録を行なう記録手段を具備する。
【０００６】
このような記録装置では、通常記録媒体の搬送状態はセンサによって検出する。
【０００７】
記録媒体が台紙上に貼られた複数のラベルである場合、一般的には透過型フォトインタラプタなどを用い、ラベル部と台紙部との光の透過率の差を監視することによって記録媒体の状態を監視する。
【０００８】
また、記録媒体が長尺紙に一定間隔ごとにマークを付したタグ紙である場合、反射型フォトインタラプタなどを用い、タグ紙部とマーク部との光の反射率の差を監視することによって記録媒体の状態を監視する。
【０００９】
ラベル紙を例に記録媒体の監視を説明すると、ホストコンピュータなどにより設定されるラベル紙のサイズと記録時の搬送速度より、ラベル紙がセンサ上を通過する時間が求められる。
【００１０】
これに対し、記録動作時のラベル紙部の検知時間が同等である場合、ラベル紙は正常に搬送されていると判断される。
【００１１】
逆に、ラベル紙部の検知時間が大きく異なる場合、ラベル紙の搬送異常であると判断し、記録動作を即停止し、エラーを通知する。
【００１２】
同様に、ラベル紙とラベル紙との間の台紙部分であるギャップに関しても、ホストコンピュータなどにより設定されるギャップ幅のサイズと記録時の搬送速度より、ギャップ部がセンサ上を通過する時間を求められる。
【００１３】
これに対し、記録動作時のギャップ部（台紙部）の検知時間が同等である場合、ラベル紙は正常に搬送されていると判断される。
【００１４】
逆に、ギャップ部の検知時間が大きく異なる場合、ラベル紙の搬送異常であると判断し、記録動作を即停止し、エラーを通知する。
【００１５】
【発明が解決しようとしている課題】
しかしながら、上記のような方式で記録媒体の状態検出を行った場合、記録媒体の終端がセンサ上を通過する所謂、用紙無しの状態を、ギャップ部の検知時間が大きいと判断し、エラー（例えばラベルの剥がれ）となる為、記録媒体の終端を検知することが難しい。
【００１６】
従って、用紙無し時に搬送異常エラーで即停止してしまうことになり、記録ヘッド下で記録途中の記録媒体が無駄になってしまう。
【００１７】
このような問題を回避する為には、▲１▼前述したセンサとは別に、用紙無しを検知する為の専用のセンサを設ける。▲２▼記録媒体の搬送状態をエンコーダーなどで直接監視する。▲３▼ギャップ部の検知によるエラーを出さず用紙なしと判断する。又はエラー発生までのマージンを大きくとる。等の方法がある。
【００１８】
▲１▼▲２▼に関してはセンサ等部品をさらに必要とする為製造コストのアップという問題がある。▲３▼に関しては、搬送異常発生時にエラー検知を行わない。
【００１９】
又はエラー検出が大きく遅れることになり、記録媒体はもちろんのこと、記録装置に対してもダメージをあたえかねない。
【００２０】
【課題を解決する為の手段】
上記課題を解決する為に本発明の記録装置は、
各々に無線通信素子を内蔵する複数のラベルが仮付けされた長尺状の記録媒体を搬送する手段と、
ラベルに画像を記録する手段と、
無線通信素子と通信する手段と、
無線通信手段と無線通信素子との通信可能範囲より搬送方向上流側に配置され、ラベルの先端又は後端を検知する手段と、
搬送されるラベル内の第１の無線通信素子と通信してから、第２の無線通信素子との通信可能範囲に達したと推定される所定時間経過後、
第１の無線通信素子との通信が継続されているか、
又は第２の無線通信素子との通信に移行したか、
それとも前記第２の無線通信素子との通信が不能であるかを判別する判別手段を有して、
前記検知手段でラベルを検知せず、
且つ前記判別手段による判別の結果、第２の無線通信素子との通信が不能であった場合、前記記録媒体が終了である旨報知する報知手段をもつ。
又、前記検知手段でラベルを検知し、且つ前記判別手段による判別の結果、
第２の無線通信素子との通信が不能であった場合には、
前記報知手段は、第２の無線通信素子が異常である旨、報知するようにした。
又、前記判別手段による判別の結果、第１の無線通信素子との通信が継続されている場合、前記報知手段は、搬送動作異常を報知するようにした。
更に、前記判別手段による判別の結果、第２の無線通信素子との通信に移行したと判別された場合、正常に動作を継続する手段をもつ。
【００２１】
【作用】
本発明は、記録装置において、記録媒体の状態、特に用紙無しと用紙の搬送異常を、記録媒体に設けられた素子を利用して正確に判断することにより、記録媒体の無駄を無くすことができる。
【００２２】
【実施例】
以下、図面を参照して本発明の記録装置に係わる実施例について詳細に説明する。
【００２３】
（第１の実施例）
本発明を実施したRF-IDリーダ／ライタ内蔵記録装置（100）の正面図と上断面図を図1に示す。
【００２４】
記録装置（100）には画像を形成する記録部（105）、記録媒体（103）を記録部に給紙するロール紙ホルダ（106）、記録媒体に装着されたRF-IDタグ（101）へのデータの書き込み／読み込みを行なうRF-IDリーダ／ライタ、通信アンテナ（112）等を備える。
【００２５】
記録部（105）では、先端検知センサ（104）にて検出したラベル（102）の先端位置を基準に、各記録ヘッド（108から111）から記録データに応じて例えばブラック、シアン、マジェンタ、イエローのインクを選択的に吐出させ、カラー記録する。
【００２６】
RF-IDタグが設けられた記録媒体の模式図を図2に示す。
【００２７】
記録媒体（103）は台紙（201）と台紙上に貼られた複数のラベル（102）からなり、各ラベルにはRF-IDタグ（101）が設けられている。
【００２８】
RF-IDタグ（101）はアンテナ部（203）と無線通信機能をもつ素子（202）からなり、記録装置内のRF-IDリーダ／ライタから通信アンテナ（112）を介してデータの読み込み、書き込みが行なわれる。
【００２９】
また、各RF-ID素子（202）はユニークIDと呼ぶ固有のIDを持っており、RF-IDリーダ／ライタからの情報の読み込み/書き込みは指定したユニークIDのRF-ID素子に対し行われる。
【００３０】
本発明を実施したRF-IDライタ内蔵の記録装置（100）にホストコンピュータを接続した構成図を図3に示す。
【００３１】
記録装置（100）と、ホストコンピュータ（300）がプリンタケーブル（301）で接続されている。
【００３２】
記録装置（100）の給紙部であるロール紙ホルダ（106）に記録媒体（103）がセットされている。
【００３３】
記録媒体（103）上の各ラベル（102）への記録データ、及びラベル（102）に内蔵するRF-IDタグ（101）への書き込みデータはホストコンピュータ（300）から記録装置（100）に転送される。
【００３４】
記録装置（100）上には動作状態や警報を表示するディスプレイや電源のON／OFF、用紙の設定等、複数の操作キーをもつオペレーションパネル（302）を備えている。
【００３５】
本発明を実施した記録装置（100）の電気的なブロック図を図4に示す。
【００３６】
ホストコンピュータ（ホストPC）（300）は、記録媒体（103）上のラベル（102）に記録する記録データ、及び内蔵するRF-IDタグ（101）への書き込みデータを記録装置（100）のインタフェースコントローラ（401）に転送して記録開始を指示する。
【００３７】
CPU（中央演算処理装置：Central Processing Unit）（400）は記録データの受信、記録動作、RF-ID（Radio Frequency Identification）リーダ／ライタ（406）の制御、そして記録媒体（103）のハンドリング等、全般の制御を掌る演算処理装置である。
【００３８】
CPU（400）はホストPC（300）から受信したコマンドを解析後、記録データの各色成分のイメージデータをイメージメモリ（403）にビットマップ展開して描画する。
【００３９】
記録前の動作処理としてCPU（400）は入出力ポート（407）、駆動部（408）を介してキャッピングモータ（413）と記録ヘッドU/Dモータ（412）を駆動し、記録ヘッド（108〜111）を図示しないキャッピング機構によるキャッピング位置（待機位置）から記録位置に移動させる。
【００４０】
さらに、駆動部（408）を介してRF-IDタグ内蔵の記録媒体（103）を繰り出す給紙モータ（415）、及び記録装置本体の搬送部（107）を駆動する搬送モータ（416）等を駆動し記録媒体（103）を記録部に搬送する。
【００４１】
定速度で搬送される記録媒体（103）への記録タイミングを決定するために、先端検知センサ（104）で各ラベル（102）の先端、又は後端位置を検出する。
【００４２】
その後、搬送モータ（416）による用紙搬送に同期して、CPU（400）はイメージメモリ（403）から対応する色のイメージデータを順次読み出し、記録ヘッド制御回路（409）を介して、記録ヘッド（108〜111）に順次データ転送し、各記録ヘッドが持つ多数のノズルから選択的にインクを吐出させ、カラー記録する。
【００４３】
本実施例の記録装置（100）の各記録ヘッド（108〜111）はラインヘッドであり、記録動作中用紙（記録媒体）（103）は予め決められた一定速度、例えば100[mm／sec]で搬送される。
【００４４】
上記記録動作と並行して、CPU（400）は記録媒体（103）に内蔵するRF-IDタグ（101）上の素子（202）にデータの書き込み制御する。
【００４５】
CPU（400）の制御下で、RF-IDリーダ／ライタ（406）がアンテナ（112）を介してデータの書き込みを行い、且つRF-IDタグ（101）から送信されたデータの読み込みを行なう。
【００４６】
CPU（400）とRF-IDリーダ／ライタ（406）とは例えば非同期のシリアルインタフェースやバス形式の入出力（I/O）にて接続される。
【００４７】
CPU（400）の動作はプログラムＲＯＭ（402）に記憶された処理プログラムに基づき、実行される。
【００４８】
プログラムROM（402）には（後述の）図8、図14に示す制御フローに対応した処理プログラム及び参照用テーブル等が記憶されている。
【００４９】
CPU（400）は各処理を実行する際、作業用のメモリとしてワークRAM（404）を使用する。
【００５０】
EEPROM（405）は不揮発性のメモリで、記録ヘッド相互の微小記録位置調整等、装置固有のパラメータを記憶する。
【００５１】
インク満タン検知センサ（410）は図示しないサブタンク内に備えたセンサで、インクの色毎に独立して検知する。
【００５２】
サブタンクはインクを補給するインクカートリッジからインクを受け、一旦貯蔵するバッファの役目をし、ポンプモータ（414）の動作によるインク補給時に、もしサブタンク内の満タン検知センサ907が一定時間内に検知しなければ、インクカートリッジが"空"と判断し、該当する色のインクカートリッジ交換を促す。
【００５３】
CPU(400)は色毎にインク満タン検知センサ(410)の出力をADコンバータ（411）で読み取ることが出来る。
【００５４】
図5〜7は本実施例における用紙検知とRF-ID情報の書き込み処理を示す模式図である。
【００５５】
CPU（400）の制御により、RF-IDリーダ／ライタ（406）はラベル（102）内のRF-IDタグ（101）からユニークID（各RF-IDタグ固有の識別子）の読み取りを周期的に行なう。
【００５６】
読み取り周期はラベル（102）１枚が通信アンテナ（112）との通信可能エリアを通過する時間よりも短い時間で行なわれ、ユニークIDの読み取り結果により、ラベル紙の有無、或いは搬送異常の検知が行われる。
【００５７】
図5に示すように、ラベル（102）が正常に搬送されている場合、通信アンテナ（112）とRF-IDタグ（101）が通信可能状態となった時に、ユニークIDを読み取ることができ、前回読み取ったユニークIDと比較して異なっていたなら、新たなラベル（102）が到達したと判断し、該当のRF-IDタグ（101）に対しデータの書き込みを行なう。
【００５８】
その後、記録部にてラベル（102）に画像を記録する。
【００５９】
図6のようなロール紙に巻かれた記録媒体（103）が全て給紙され、最終ラベル（102）が既に通過済み（用紙無し）の場合、ユニークIDの読み取りを複数回行なってもRF-IDタグ（101）は確認されない。
【００６０】
このような場合、用紙無しと判断し、最後にユニークIDを検知したラベル（102）まで記録を行った後、記録動作を中断し、用紙無しエラーを通知する。
【００６１】
図7のように記録媒体（103）の搬送異常が発生した場合、通信アンテナ（112）との通信可能エリア内のラベル（102）は移動しなくなり、ユニークIDの読み取り結果は同一内容が繰り返される。
【００６２】
このような場合、用紙搬送異常と判断し、即記録動作を停止し、用紙JAMエラーを通知する。
【００６３】
RF-IDタグのユニークID読み取り〜書き込み処理のフローチャートを図8に示す。
【００６４】
（S0800）にて周期的にRF-ID素子のユニークIDの確認が行われ、結果、（S0801）により所定回数N回連続して確認できない場合、用紙無しエラーと判断し（S0806）報知して終了する。
【００６５】
また、（S0800）にてユニークIDの確認がなされ、（S0802）により、前回確認したユニークIDと比較し、異なる場合、用紙有りと判断し、該当のRF-ID素子に対しデータの書き込みを行なう（S0804）。
【００６６】
また、S0802にて前回確認したユニークIDと同じで、且つ所定回数同じユニークIDが確認されたならば、用紙JAMと判断（S0805）、報知して終了する。
【００６７】
（第２の実施例）
以下に説明する第２実施例のように、RF-IDタグとの通信結果と搬送部上のセンサ出力により用紙の状態を判断するものでも良い。
【００６８】
第２実施例によるRF-IDリーダ／ライタ内蔵の記録装置（100）の正面図と上断面図を図9に示す。
【００６９】
基本的な構成は第１実施例と類似しているので異なる点について説明する。
【００７０】
本実施例では記録媒体103上のラベル102の先端（或いは後端）を検知する先端検知センサ（104）が通信用アンテナ（112）に対して記録媒体搬送方向上流側に配置される。
【００７１】
本実施例における電気的なブロック図は第１実施例にて説明した図4と同じ構成で可能であるが、後述するようにプログラムROM（402）に記憶する処理プログラム、及び参照用テーブルが異なる。
【００７２】
図10〜13は本実施例における用紙検知とRF-ID情報の書き込み処理を示す模式図である。
【００７３】
先端検知センサ（104）にて検知したラベル（102）に内蔵されたRF-IDタグ（101）に対し、RF-IDリーダ／ライタはCPU（400）の制御下で、通信アンテナ（112）を介してユニークIDの読み取りを行なう。
【００７４】
また、先端検知センサ（104）にてラベルを未検知であってもRF-IDタグの読み取りタイミングとなった場合にはユニークIDの読み取りを実行する。
【００７５】
ユニークID読み取りタイミングは、先端検知センサ（104）にてラベル後端の通過を検知した時点、または、前回RF-ID素子に対しユニークIDの読み取りを行ってからラベル１枚分通過したと見なすタイミングであり、先端検知センサ（104）の検知状態とユニークIDの読み取り結果により、ラベルの有無、搬送異常、又はRF-IDタグとの通信エラー検知が行なわれる。
【００７６】
図10のようにラベル（102）が正常に搬送されている場合、先端検知センサ（104）にてラベル（102）の検知が行われ、該ラベル紙内のRF-IDタグ（101）に対し、RF-IDリーダ／ライタは通信アンテナ（112）を介してユニークIDの読み取りを行い、正常に読み取ったユニークIDのRF-IDタグ（101）に対しデータの書き込みを行なう。
【００７７】
その後ラベル紙（102）上に画像を記録する。
【００７８】
一方、図11の如くロール紙に巻かれた記録媒体（103）が全て給紙され、最終ラベル（102）が既に通過済み（用紙無し）の場合、先端検知センサ（104）ではラベルを検知できない用紙なし状態が続き、前回のRF-IDタグ（101）の読み取りタイミングからラベル１枚分搬送した後、新たなユニークIDの読み取りを実行しても、RF-IDタグは確認されない。
【００７９】
この場合、用紙無しと判断し、最後にユニークIDを検知したラベル（102）まで記録を行った後、動作を中断し、用紙無しエラーを通知する。
【００８０】
次に、図12ではラベル（102）が正常に搬送されてはいるが、RF-IDタグ（101）内部素子の故障等が発生した場合を示す。
【００８１】
まず、先端検知センサ（104）にてラベル（102）が検知され、該ラベル紙内のRF-IDタグ（101）に対し、RF-IDリーダ／ライタ（406）はユニークIDの読み取りを行なうが、ユニークIDは読み取れない。
【００８２】
このような場合、RF-IDタグとの通信異常と判定し、最後にユニークIDを検知したラベルまで記録を行った後、動作中断し、通信エラーを通知する。
【００８３】
図13のように記録媒体（103）の搬送異常が発生している場合、先端検知センサ（104）付近のラベル（102）は移動出来なくなり、先端検知センサ（104）の出力が変化しないまま、前回のRF-IDタグ（101）の読み取りタイミングからラベル１枚分搬送した時間が経過し、新たな読み取りを行なうと前回読み取ったRF-IDタグ（101）と同じユニークIDが確認される。
【００８４】
このような場合、記録媒体（103）の搬送異常と判断し、即記録動作を停止し、用紙JAMエラーを通知する。
【００８５】
本実施例における用紙検知とRF-IDタグへの書き込み処理のフローチャートを図14に示す。
【００８６】
先端検知センサ（104）にてラベル（102）の後端を検知すると（S1400）、RF-IDタグ（101）の確認としてユニークIDの読み取りを行い（S1401）、結果、ユニークIDの読み取りができたならば（S1401−Yes）、用紙有りと判断し、確認したユニークIDのRF-IDタグに対しデータの書き込みを行なう（S1402）。
【００８７】
また、ユニークIDの読み取りができず、RF-ID素子を確認できないならば（S1401−No）、RF-IDエラーと判定、報知する（S1403）。
【００８８】
S1400で先端検知センサ（104）にてラベルの後端を検知していない場合であっても（S1400−No）、前回のRF-IDタグの読み取りタイミングからラベル１枚分搬送した時間が経過し、新たなRF-IDタグの読み取りタイミングとなれば（S1404−Yes）、RF-IDタグの確認としてユニークIDの読み取りを行い、結果、ユニークIDの読み取りができたならば（S1405−Yes）、用紙JAMエラーと判断する（S1406）。
【００８９】
また、ユニークIDの読み取りができず、RF-ID素子を確認できないならば（S1405−No）、用紙無しエラーと判断する（S1407）。
【００９０】
以上説明したように、本発明の記録装置によれば、記録媒体の状態、特に用紙無し（用紙END）と用紙の搬送異常を正確に判断することができ、記録媒体の無駄を減らす事が出来る。
【００９１】
前記実施例では、「ラベル」に記録する「ラベルプリンタ」を、例として説明したが、記録媒体の形態に限定されるものではなく（カット紙等）、また、記録媒体の材質は紙に限定されるものではなく（プラスチックカード等）、非接触ICはRF-IDに限定されるものでなく、RF-IDリーダ／ライタは記録装置の入口側に限定されるものでなく（出口、記録装置内部等）、記録装置の記録方式はインクジェット方式に限定されるものではない（熱転写方式、シリアルスキャン方式等）。
【００９２】
【発明の効果】
以上説明したように、記録媒体に設けられた素子との通信結果により、記録媒体の状態を正確に判断できる記録装置を提供することができる。
【００９３】
【図面の簡単な説明】
【図１】  第一の実施例におけるRF-IDライタ内蔵の記録装置の正面図と上断面図である。
【図２】  RF-ID素子内蔵記録媒体の模式図である。
【図３】  RF-IDリーダ／ライタ内蔵の記録装置にホストコンピュータを接続した構成図である。
【図４】  RF-IDライタ内蔵の記録装置の電気回路ブロック図である。
【図５】  第一の実施例における用紙有り検知とRF-ID情報の書き込み処理を示す模式図である。
【図６】  第一の実施例における用紙無し検知処理を示す模式図である。
【図７】  第一の実施例における用紙JAM検知処理を示す模式図である。
【図８】  第一の実施例における用紙検知とRF-ID情報の書き込み処理のフローチャートである。
【図９】  第二の実施例におけるRF-IDライタ内蔵の記録装置の正面図と上断面図である。
【図１０】 第二の実施例における用紙有り検知とRF-ID情報の書き込み処理を示す模式図である。
【図１１】 第二の実施例における用紙無し検知処理を示す模式図である。
【図１２】 第二の実施例におけるRF-ID通信異常検知処理を示す模式図である。
【図１３】 第二の実施例における用紙JAM検知処理を示す模式図である。
【図１４】 第二の実施例における用紙検知とRF-ID情報の書き込み処理のフローチャートである。
【符号の説明】
100  記録装置
101  RF-IDタグ
102  ラベル
103  記録媒体
104  先端検知センサ
105  記録部
106  ロール紙ホルダ
107  搬送部
108  記録ヘッド（ブラック）
109  記録ヘッド（シアン）
110  記録ヘッド（マジェンタ）
111  記録ヘッド（イエロー）
112  通信アンテナ
201  台紙
202  RF-ID素子
203  アンテナ
400  CPU（Central Processing Unit）
401  インタフェースコントローラ
402  プログラムROM
403  イメージメモリ
404  ワークRAM
405  EEPROM
406  RF-IDリーダ／ライタ
407  入出力ポート（I/O）
408  駆動部
409  記録ヘッド制御回路
【図１】
0004084977.tif 000002
【図２】
0004084977.tif 000003
【図３】
0004084977.tif 000004
【図４】
0004084977.tif 000005
【図５】
0004084977.tif 000006
【図６】
0004084977.tif 000007
【図７】
0004084977.tif 000008
【図８】
0004084977.tif 000009
【図９】
0004084977.tif 000010
【図１０】
0004084977.tif 000011
【図１１】
0004084977.tif 000012
【図１２】
0004084977.tif 000013
【図１３】
0004084977.tif 000014
【図１４】
0004084977.tif 000015